(57)【特許請求の範囲】
【請求項１】
糸巻が内蔵された墨壷本体に、墨汁浸透部材が収納される墨室が形成されると共に、この墨室内で進退動作可能な押圧部材が設けられ、前記墨汁浸透部材に前記糸巻から引き出された糸が通されるスリットが形成され、前記押圧部材が前記糸のみを押圧する部位を有し、前記スリット内の糸を前記スリットの深さ方向へ向けて変位させるものであることを特徴とする墨壷。
【請求項２】
押圧部材が、墨汁浸透部材を押圧する墨汁浸透部材押圧部を有することを特徴とする請求項１に記載の墨壷。
【請求項３】
墨壷本体に、墨汁浸透部材に対する墨汁浸透部材押圧部の押圧量を制限する制動手段が設けられたことを特徴とする請求項２に記載の墨壷。
【発明の詳細な説明】
【技術分野】
【０００１】
本発明は、木工あるいは建築工事等において、墨汁を付着させた糸によって、施工や各種作業のための線引きを行う墨壷に関する。
【背景技術】
【０００２】
従来、木工あるいは建築工事において木材等の施工対象材の表面に直線を引く道具としての墨壷が、広く知られている。この墨壷は、墨壷本体に糸巻及びこの糸巻から引き出される糸に墨汁を付着させる墨汁浸透部材が内蔵され、糸の先端に、施工対象材の任意の箇所に突き刺すなどして止着するカルコが取り付けられたものである。
【０００３】
すなわち、この墨壷を用いて墨線を引くには、まず、カルコを施工対象材の任意の墨打ち起点に止着してから墨壷本体を移動させることによって、糸巻から糸が引き出されると共に、この糸に、墨汁浸透部材との接触によって墨汁が付着するので、この糸に適当な張力を与えた状態で、施工対象材の表面に向けて手指ではじいて糸を当接させることによって、直線状の墨線を転写することができる。なお、この種の墨壷の典型的な従来技術が、下記の特許文献に開示されている。
【０００４】
しかしながら、従来の墨壷は、特許文献にも開示されているように、糸巻から引き出される糸を、押圧棹によって墨汁浸透部材へ押し付けるようになっているので、糸が長い範囲で墨汁浸透部材に接触しにくく、このため墨線引きの作業を繰り返すことによって墨汁浸透部材の墨汁含浸量がある程度減少すると、墨汁が糸に付着しにくくなって鮮明な墨線を引くことが困難になるおそれがある。
【０００５】
また、押圧棹によって糸を墨汁浸透部材へ押し付けるのに伴い、墨汁浸透部材が圧縮されるため、墨汁浸透部材に十分な量の墨汁が含浸されている場合は、圧縮によって多量の墨汁が滲み出して、墨壷本体の糸通し孔から墨汁の一部が外部へ漏れ出すといった不具合が発生するおそれがある。
【先行技術文献】
【特許文献】
【０００６】
【特許文献１】特開２００４−２５３９０号公報
【特許文献２】特開２００９−８３０６７号公報
【発明の概要】
【発明が解決しようとする課題】
【０００７】
本発明は、以上のような点に鑑みてなされたものであって、その技術的課題は、墨汁浸透部材の墨汁の含浸量が減少しても、糸に墨汁を十分に付着させて鮮明な墨線を引くことができるようにし、また、糸を墨汁浸透部材に接触させる際に滲み出した墨汁が外部へ漏れ出すのを可及的に防止することにある。
【課題を解決するための手段】
【０００８】
上述した技術的課題を有効に解決するための手段として、請求項１の発明に係る墨壷は、糸巻が内蔵された墨壷本体に、墨汁浸透部材が収納される墨室が形成されると共に、この墨室内で進退動作可能な押圧部材が設けられ、前記墨汁浸透部材に前記糸巻から引き出された糸が通されるスリットが形成され、前記押圧部材が前記糸のみを押圧する部位を有し、前記スリット内の糸を前記スリットの深さ方向へ向けて変位させるものであることを特徴とする。
【０００９】
請求項２の発明に係る墨壷は、請求項１に記載の構成において、押圧部材が、墨汁浸透部材を押圧する墨汁浸透部材押圧部を有することを特徴とする。
【００１０】
請求項３の発明に係る墨壷は、請求項２に記載の構成において、墨壷本体に、墨汁浸透部材に対する墨汁浸透部材押圧部の押圧量を制限する制動手段が設けられたものである。
【発明の効果】
【００１２】
請求項１の発明に係る墨壷によれば、押圧部材を押動させることによって、この押圧部材における糸のみを押圧する部位が、前記スリット内の糸を前記スリットの深さ方向へ向けて変位させるため、墨汁浸透部材に浸透保持された墨汁の量がある程度減少しても、糸に墨汁を十分に付着させて鮮明な墨線を引くことができる。
【００１３】
請求項２の発明に係る墨壷によれば、押圧部材を押動させることによって、この押圧部材における墨汁浸透部材押圧部が墨汁浸透部材を押圧するのと同時に、糸を墨汁浸透部材に形成されたスリット内でその深さ方向へ糸を変位させるため、請求項１による効果に加え、押圧によって墨汁浸透部材内の墨汁が滲み出されるスリット内で糸に墨汁を十分に付着させることができる。
【００１４】
請求項３の発明に係る墨壷によれば、墨汁浸透部材に対する墨汁浸透部材押圧部の押圧量が制限されるので、請求項２による効果に加え、墨汁浸透部材押圧部の過剰な押圧による墨汁の漏出を可及的に防止することができる。
【図面の簡単な説明】
【００１６】
【図１】本発明に係る墨壷の好ましい実施の形態を示す斜視図である。
【図２】本発明に係る墨壷の好ましい実施の形態を示す平面図である。
【図３】本発明に係る墨壷の好ましい実施の形態を示す底面図である。
【図４】図２におけるＡ−Ａ’断面をカルコと共に示す図である。
【図５】本発明に係る墨壷の好ましい実施の形態において墨室カバーを開いた状態を示す平面図である。
【図６】本発明に係る墨壷の好ましい実施の形態における墨汁浸透部材を示す斜視図である。
【図７】本発明に係る墨壷の好ましい実施の形態において押圧部材を押し下げた状態を図２におけるＡ−Ａ’で切断して示す部分断面図である。
【発明を実施するための形態】
【００１７】
以下、本発明に係る墨壷の好ましい実施の形態について、図面を参照しながら詳細に説明する。
【００１８】
図１〜図５において、参照符号１は、合成樹脂材で成形された墨壷本体である。この墨壷本体１は、円形の皿状の糸巻収納部１１Ａと、その前方の墨室形成部１１Ｂと、更にその前方の糸導出部１１Ｃが形成されたケース１１と、糸巻収納部１１Ａの上部開口に着脱可能に設けられた糸巻カバー１２と、墨室形成部１１Ｂの上部開口にヒンジ１３１を介して揺動可能に設けられた墨室カバー１３とを有する。
【００１９】
糸巻カバー１２は、ケース１１における糸巻収納部１１Ａの開口縁に着脱可能に固定されることによってこの糸巻収納部１１Ａとの間に、図４に示される糸巻室１Ａを画成し、糸巻２を回転自在に保持するものである。
【００２０】
糸巻２は、外周に糸３を巻回する糸巻本体２１と、その内周に取り付けられて糸巻本体２１を糸３の巻き取り回転方向に付勢する渦巻きばね２２からなり、糸巻本体２１の軸方向一端は、糸巻カバー１２の内周から外部へ露出している。これらの部材は合成樹脂材で成形されており、糸巻２は、糸巻カバー１２をケース１１の糸巻収納部１１Ａから取り外すことによって、糸巻室１Ａ内から取り出すことができる。
【００２１】
図５に示されるように、墨室カバー１３の揺動端部（ヒンジ１３１と反対側の端部）１３ａの内側面には掛合爪１３２が形成されている。この掛合爪１３２は、ケース１１における墨室形成部１１Ｂの外側面に形成された掛合凹部１１ｂにスナップ的に掛合されることによって、墨室カバー１３を閉塞状態に固定するものである。
【００２２】
墨室カバー１３の内面には、ゴム状弾性材料からなるパッキン１３３が設けられ、ケース１１における墨室形成部１１Ｂの上面に密接可能となっている。そして、墨室形成部１１Ｂと墨室カバー１３によって画成される墨室１Ｂ内には、スポンジ、脱脂綿あるいはフェルト等からなり、好ましくは、墨汁の浸透保持作用に優れたセルロースの繊維からなる墨汁浸透部材４が着脱可能に収納されている。
【００２３】
糸巻室１Ａと墨室１Ｂとの間には糸通し溝１４ａを有する糸挿通部１４が形成され、墨室１Ｂと糸導出部１１Ｃとの間にも糸通し溝１５ａを有する糸挿通部１５が設けられている。互いに対向する糸挿通部１４，１５は、墨室１Ｂ内へ突出するように形成されており、言い換えれば墨室１Ｂは、図５に破線で示されるように、糸挿通部１４，１５の両側（４箇所）で墨室形成部１１Ｂの両端へ向けて延びる墨溜まり部１６を有する。
【００２４】
墨汁浸透部材４は、上面から適当な深さのスリット４ａが形成され、平面形状が図６に示されるように略Ｈ形をなし、すなわちスリット４ａの両端に位置して一対の凹部４ｂが形成され、その両側（４箇所）が相対的な凸部４ｃとなっている。そしてこの墨汁浸透部材４は、墨室１Ｂに収納した状態において、両側の凹部４ｂが、墨室形成部１１Ｂの底部に突設されたガイド突起１７に遊嵌されることによって位置決めされると共に、前記凹部４ｂが糸挿通部１４，１５と離間対向し、各凸部４ｃが、墨室１Ｂの各墨溜まり部１６内へ嵌め込まれた状態で充填されるようになっている。
【００２５】
墨壷本体１における墨室カバー１３には円形孔が開設されていて、この円形孔には、ゴム材からなる押しボタン１３４が密嵌されており、この押しボタン１３４の内面には合成樹脂材からなる押圧部材１３５が取り付けられている。この押圧部材１３５は、墨室１Ｂにおける糸３の移動経路と対応する方向へ延びる押圧板１３５ａと、この押圧板１３５ａの両端に突設された一対の押圧突起１３５ｂを有する。各押圧突起１３５ｂには、糸３の移動経路と対応する位置に溝１３５ｃが形成されている。なお、押圧板１３５ａは請求項２に記載の墨汁浸透部材押圧部に相当し、押圧突起１３５ｂは請求項１に記載の「糸のみを押圧する部位」に相当するものである。
【００２６】
そして、墨室カバー１３を閉じた状態では、押圧部材１３５は、押しボタン１３４を手指で押して凹ませることによって墨室１Ｂ内を押し下げられ、図７に示されるように押圧板１３５ａが墨汁浸透部材４の凹部４ｂ間の、スリット４ａが形成された部分（以下、中間部４ｄという）の上面を押圧して圧縮し、一対の押圧突起１３５ｂが、前記墨汁浸透部材４の一対の凹部４ｂ内へ進出して、前記スリット４ａの両側で糸３をこのスリット４ａの深さ方向へ向けて押圧可能となっている。また、手指による押し付けを解除すれば、押圧部材１３５は、押しボタン１３４の復元力によって復帰動作される。
【００２７】
墨室形成部１１Ｂの底部に突設されて墨汁浸透部材４の凹部４ｂに嵌合されるガイド突起１７は、押圧部材１３５の押圧突起１３５ｂと対向しており、押しボタン１３４を押すことによって押圧部材１３５を押し下げた時に、押圧突起１３５ｂと当接することによって、押圧板１３５ａによる墨汁浸透部材４の圧縮量を制限する制動手段を兼ねるものである。
【００２８】
なお、墨室１Ｂの両側の糸挿通部１４，１５に形成された糸通し溝１４ａ，１５ａの溝底は、押圧部材１３５の押圧突起１３５ｂによって押し下げられた糸３が強く干渉することのないように、糸３の押し下げ位置より深く、かつ墨室１Ｂ側が深くなる傾斜形状に形成されている。また、墨汁浸透部材４のスリット４ａは、前記押圧部材１３５による糸３の最大押し下げ位置より深く形成されている。
【００２９】
ケース１１における糸導出部１１Ｃは、糸挿通部１５の糸通し溝１５ａから連続した漏斗状の糸導出孔１Ｃを包囲するように形成され、その端縁は、糸導出孔１Ｃから引き出した糸３を相手材に押し付けるための環状の糸押え１８となっている。なお図４や図５に示されるように、糸導出孔１Ｃは、前記糸導出部１１Ｃと墨室カバー１３における前記糸導出部１１Ｃとの嵌合部１３ｂで分担して形成されるようになっている。
【００３０】
糸巻２の糸巻本体２１に巻回された糸３は、糸巻室１Ａと墨室１Ｂとの間の糸挿通部１４に形成された糸通し溝１４ａから墨室１Ｂにおける墨汁浸透部材４のスリット４ａ及び墨室１Ｂと糸導出部１１Ｃとの間の糸挿通部１５に形成された糸通し溝１５ａを通って、糸導出孔１Ｃからケース１１の外部へ導出される。
【００３１】
参照符号５は、ばねチャージャである。このばねチャージャ５は、糸巻２の内周に同心的かつ相対回転可能な状態に組み込まれたばね芯５１と、ケース１１における糸巻収納部１１Ａの底壁の外部にばね芯５１と同心的に配置された円盤状のチャージハンドル５２と、前記底壁に開設された軸孔に挿通されたチャージハンドル５２の中心軸にビスで固定されたクラッチ部材５３と、チャージハンドル５２に設けられたレバー５４とを備え、糸巻２に内蔵された渦巻きばね２２の付勢力を任意に調整するものである。
【００３２】
図４に示されるように、ケース１の外部へ導出された糸３の先端には、カルコ６が繋着されている。カルコ６は、基本的に、合成樹脂製の中空の柄６１と、この柄６１に一体的に、又は着脱自在に取り付けられた金属製の止着針６２とを備える。このカルコ６は、安全性を高めるために通常は止着針６２が不図示のばねによって柄６１の中に格納されており、使用の際には押片６３を押して前記ばねの付勢力に抗して柄６１から突出させることができるようになっている。また、柄６１の先端６１ａは、糸導出孔１Ｃに嵌合状態に保持することが可能な形状に形成されている。
【００３３】
以上のように構成された墨壷は、その使用に際して、予め墨室１Ｂ内の墨汁浸透部材４に墨汁を十分に含浸させておく。墨汁は、墨室カバー１３を開き、墨室１Ｂ内に注入することによって、墨汁浸透部材４に含浸させることができる。
【００３４】
この墨壷による墨打ち（線引き）作業においては、まずカルコ６を、その止着針６２を不図示の相手材の表面における墨打ちの一方の起点に刺して止着してから、墨壷本体１を墨打ちの他方の起点へ向けて移動させると、糸巻２の回転を伴いながら、糸３が墨壷本体１の移動距離分だけ引き出されて行く。この糸３は、墨室１Ｂ内の墨汁浸透部材４のスリット４ａを通って引き出される過程で、この墨汁浸透部材４に摺接することによって墨汁が付着する。また、糸巻２に内蔵された渦巻きばね２２が糸巻本体２１の回転に伴ってばね芯５１に巻き込まれ、蓄勢される。
【００３５】
墨汁浸透部材４に十分な量の墨汁が含浸されている場合は、墨汁が毛細管現象によって墨汁浸透部材４の上部まで保持されているので、図４に示されるように、糸３が押圧部材１３５によって押し下げられていない状態でも、スリット４ａ内を通る糸３には墨線を転写するのに必要かつ十分な墨汁を付着させることができる。
【００３６】
墨壷本体１を墨打ちの他方の起点まで移動させたら、この墨壷本体１の先端の糸押え１８で糸３を相手材の表面に押止することによって、糸３をカルコ６との間に適当な張力で張設する。そして、この糸３を相手材の表面に向けて指ではじいて打ち付ければ、糸３に付着している墨汁によって、直線状の墨線を転写することができる。
【００３７】
墨打ち作業終了後は、相手材に止着したカルコ６へ向けて墨壷本体１を移動させると、糸３の引き出し過程で蓄勢された渦巻きばね２２の弛緩動作によって、糸巻２が巻き取り方向に回転するため、糸３は糸巻本体２１に自動的に巻き取られる。そして最後にカルコ６を相手材から引き抜けば、糸３が更に巻き取られてカルコ６が糸導出孔１Ｃに半収納状態に係止される。
【００３８】
墨室１Ｂ内の墨汁浸透部材４に含浸された墨汁の量が、墨打ち作業の繰り返し等によってある程度少なくなると、墨汁浸透部材４の上部では墨汁の保持量が少なくなり、墨汁浸透部材４（墨室１Ｂ）の下部に墨汁が偏在するようになるので、スリット４ａを通る糸３には十分な墨汁が付着しにくくなる。
【００３９】
したがってこのような場合は、図７に示されるように、押しボタン１３４を手指で押圧して凹ませると、この押しボタン１３４を介して押圧部材１３５が下方へ押動され、押圧部材１３５における押圧板１３５ａが墨汁浸透部材４の中間部４ｄの上面を押圧して圧縮すると共に、前記墨汁浸透部材４の一対の凹部４ｂに位置する一対の押圧突起１３５ｂが、スリット４ａ内の糸３をこのスリット４ａの両側でその深さ方向へ向けて押し下げる。なお、このとき糸３は押圧突起１３５ｂ，１３５ｂにおける溝１３５ｃ，１３５ｃを通ることになる。
【００４０】
このため墨汁浸透部材４の下部に偏在して含浸されていた墨汁が、この墨汁浸透部材４の圧縮によって上方へ滲み出すと共に、糸３が押し下げられるので、糸３に墨汁を十分に付着させることができる。しかも、押圧部材１３５は、上述のように墨汁浸透部材４の中間部４ｄを圧縮すると共に糸３をスリット４ａにおける適当な深さに押し下げるものであって、糸３を墨汁浸透部材４に強制的に押し付けるものではないため、墨汁浸透部材４の損耗などを防止することができる。
【００４１】
またこのとき、押圧部材１３５の押圧突起１３５ｂ，１３５ｂと、糸挿通部１４，１５の糸通し溝１４ａ，１５ａとの間で、糸３は斜めに張られた状態になるが、糸通し溝１４ａ，１５ａの底面は、このときの糸３の位置より深く、しかも墨室１Ｂ側が深くなるように傾斜しているので、糸３が強く当たって損耗するのを極力防止することができる。
【００４２】
また、墨室１Ｂ内の墨汁浸透部材４に多量の墨汁が含浸されている場合は、過って押しボタン１３４を手指で押圧すると、従来の墨壷では、糸導出孔１Ｃからの墨漏れが発生していたが、本発明の墨壷によれば、このような不具合を有効に防止することができる。
【００４３】
すなわち、押圧部材１３５の押圧板１３５ａによって、墨汁浸透部材４の中間部４ｄが圧縮されると、そこに含浸保持されている墨汁の一部は、毛細管現象によって墨汁浸透部材４の非圧縮の４箇所の凸部４ｃへ移動し、言い換えれば墨室１Ｂにおける４箇所の墨溜まり部１６へ移動する。また、押圧板１３５ａによる墨汁浸透部材４の中間部４ｄの圧縮量は、押圧突起１３５ｂがガイド突起１７と当接することによって制限される。このため、糸挿通部１４，１５と対向している凹部４ｂ，４ｂへの、前記中間部４ｄからの墨汁の滲み出しが抑制される。
【００４４】
しかも墨汁浸透部材４の凹部４ｂ，４ｂは糸挿通部１４，１５から離間しているので、中間部４ｄの圧縮によってその両端から凹部４ｂ，４ｂへ墨汁が滲み出しても、この墨汁が糸挿通部１４，１５の糸通し溝１４ａ，１５ａへ直接移動することはできない。このため、墨漏れが有効に抑制されるのである。
【００４５】
押しボタン１３４を押圧しても糸３に墨汁が十分に付着しなくなった場合は、先に説明したように墨室カバー１３を開き、墨室１Ｂ内に墨汁を補充すれば良い。
【００４６】
なお、押圧部材１３５は、スリット４ａ内の糸３をこのスリット４ａの深さ方向へ向けて押し下げることによって、糸３は墨汁が偏在して含浸されている墨汁浸透部材４の下部へ変位するため、墨汁浸透部材４を押圧する押圧板１３５ａを設けない構成としても墨汁の付着を向上させることは可能である。また、この押圧部材１３５の形状は、押圧突起１３５ｂが突設されたものに限らず、糸３のみを押圧できる部位があれば良く、円弧状など種々の形状が考えられる。また、押圧突起１３５ｂ等、糸のみを押圧する部位は、１箇所（片側）だけでも良いし３箇所以上あっても良く、その形状も凹形だけでなく多様なものが考えられ、溝１３５ｃ，１３５ｃも必ずしも形成しなくても良い。
【００４７】
また、墨汁浸透部材４の形状は図６のような形状に限らず、糸挿通部１４，１５と離間していれば平面形状が長方形や円形などのものでも良く、多様な形状が考えられる。さらに墨汁浸透部材４は墨室１Ｂ内に複数収納されるようになっていても良い。
【符号の説明】
【００４８】
１  墨壷本体
１Ａ  糸巻室
１Ｂ  墨室
１Ｃ  糸導出孔
１１  ケース
１２  糸巻カバー
１３  墨室カバー
１３４  押しボタン
１３５  押圧部材
１３５ａ  押圧板（墨汁浸透部材押圧部）
１３５ｂ  押圧突起（糸のみを押圧する部位）
１４，１５  糸挿通部
１６  墨溜まり部
１７  ガイド突起（制動手段）
２  糸巻
３  糸
４  墨汁浸透部材
４ａ  スリット
４ｂ  凹部
４ｃ  凸部
４ｄ  中間部
５  ばねチャージャ
６  カルコ
【図１】
0005559564.tif 000002
【図２】
0005559564.tif 000003
【図３】
0005559564.tif 000004
【図４】
0005559564.tif 000005
【図５】
0005559564.tif 000006
【図６】
0005559564.tif 000007
【図７】
0005559564.tif 000008